(57)【要約】      （修正有）【課題】携帯性に優れ、かつ本や手帳の強度に関係なく使用でき、かつ縦方向にも横方向にも任意の方向に装着可能で、さらには栞としてあるいは定規としても使用することができる手帳や書籍などの開ページ保持具を提供する。【解決手段】手帳９や書籍などの所定のページを開いた状態で保持するベルト状の開ページ保持具１であって、開かれた左右のページ２面にわたって当接させるベルト状の前面押さえ部材２と、開かれた左右２面の裏表紙面にわたって当接させるベルト状の背面支持部材とからなり、かつ両部材は左右端部が接合されてなる。【選択図】図２
0003195738.tif 000002
【実用新案登録請求の範囲】
【請求項１】
手帳や書籍などの所定のページを開いた状態で保持するベルト状の開ページ保持具であって、開かれた左右のページ２面にわたって当接させるベルト状の前面押さえ部材と、左右の開かれた表表紙と裏表紙面にわたって当接させるベルト状の背面支持部材とからなり、かつ両部材は左右端部が接合されてなることを特徴とする手帳や書籍などの開ページ保持具。
【請求項２】
前記前面押さえ部材及び背面支持部材が、柔軟性を有する合成樹脂素材で形成されてなることを特徴とする請求項１に記載の手帳や書籍などの開ページ保持具。
【請求項３】
前記前面押さえ部材、又は前面押さえ部材及び背面支持部材が、透明又は半透明の素材で形成されてなることを特徴とする請求項１又は２に記載の手帳や書籍などの開ページ保持具。
【請求項４】
前記前面押さえ部材、背面支持部材の両方又はいずれか一方に、定規のスケール、フレネルレンズ、温度計、鏡、芳香印刷のうち、少なくとも１つが形成されてなることを特徴とする請求項１〜３のいずれか１項に記載の手帳や書籍などの開ページ保持具。
【請求項５】
前記前面押さえ部材、背面支持部材の両方又はいずれか一方に、広告等の情報告知部が形成されてなることを特徴とする請求項１〜４のいずれか１項に記載の手帳や書籍などの開ページ保持具。
【考案の詳細な説明】
【技術分野】
【０００１】
本考案は、手帳や書籍などを開いた状態で保持するための開ページ保持具である。
【背景技術】
【０００２】
一般に、手帳や書籍などを開いた状態にしておく場合、指で押さえたり、重石として左右ページ上に重量のあるものを置いたり、クリップなどで挟持している。
また、これらが煩わしく面倒であることから、書籍などを開いた状態にするための技術が開示されている。
例えば特許文献１には、「方形平板状素材（１）の一辺に沿って、断面を長さの異なるＵ字状とした弾性のあるページ保持部（３）を有してページ保持具本体（４）の一方側とし、該ページ保持具本体（４）と同じものをページ保持具本体（４）の他方側として、両者のページ保持部（３）が互いに対角線上に位置するように両者の接合部（５）を折りたたみ手段（６）にて蝶着して成る折りたたみ式ページ保持具。」（特許文献１：実用新案登録第３１２６７４２号公報）が開示されており、該折りたたみ式ページ保持具は、弾性のある長めのページ保持部を備えるため、本の大小に係わらずバネ力でページめくれを押さえることができ、また方形平板状素材が折りたたむことができ、ページ保持部を内側に収納できることから、ページ保持部を保護することができる構成となっている。さらに折りたたんでポケットに入れて携帯することもできるものとなっている。
しかし、上記折りたたみ式ページ保持具は、ページ保持部が方形平板状素材に固着されており、方形平板状素材を使用する最大級の本を開いた時の大きさとほぼ同じ大きさに構成する必要があり、折りたたみが可能であっても大きく嵩張るものであり、本や手帳の他に携帯するには適していないという問題がある。
また、特許文献２には、「リング上のゴム製紐により、書籍形状（本、ノート、手帳類）の裏表紙に装着し、表紙固定バンドおよび栞紐として利用する伸縮性ゴム紐。」（特許文献２：特開２００７−２３０１９８号公報）が開示されている。これによれば、上記のような携帯にも支障がなく、かつ紛失等の恐れもない。
しかし、上記伸縮性ゴム紐は、伸縮性のあるゴム製であり、使用する本や手帳の大きさや厚さ、構造、特に薄い本や表紙や裏表紙が強固に構成されていない本や手帳などは、ゴムの収縮に耐えられず、安定して開いた状態を保持することが難しい。
また、構造上、本や手帳の縦方向にしか使用することができず、横幅の狭い手帳などはには効果がなく閉じてしまう。さらに、手帳などに、定規を使用して書き込みしたり、直線を描いたりする際には邪魔になるので外す必要があるというような様々な問題点がある。
【先行技術文献】
【特許文献】
【０００３】
【特許文献１】登録実用新案第３３１２６７４２号公報
【特許文献２】特開２００７−２３０１９８号公報
【考案の概要】
【考案が解決しようとする課題】
【０００４】
本発明は、上記のような問題に鑑み、携帯性に優れ、かつ本や手帳の強度に関係なく使用でき、かつ縦方向にも横方向にも任意の方向に装着可能で、さらには栞としてあるいは定規としても使用することができる開ページ保持具を提供する。
【課題を解決するための手段】
【０００５】
本考案者は上記課題を下記の手段により解決した。
（１）手帳や書籍などの所定のページを開いた状態で保持するベルト状の開ページ保持具であって、開かれた左右のページ２面にわたって当接させるベルト状の前面押さえ部材と、左右の開かれた表表紙と裏表紙面にわたって当接させるベルト状の背面支持部材とからなり、かつ両部材は左右端部が接合されてなることを特徴とする手帳や書籍などの開ページ保持具。
（２）前記前面押さえ部材及び背面支持部材が、柔軟性を有する合成樹脂素材で形成されてなることを特徴とする前記（１）に記載の手帳や書籍などの開ページ保持具。
（３）前記前面押さえ部材、又は前面押さえ部材及び背面支持部材が、透明又は半透明の素材で形成されてなることを特徴とする前記（１）又は（２）に記載の手帳や書籍などの開ページ保持具。
（４）前記前面押さえ部材、背面支持部材の両方又はいずれか一方に、定規のスケール、フレネルレンズ、温度計のうち、少なくとも１つが形成されてなることを特徴とする前記（１）〜（３）のいずれか１項に記載の手帳や書籍などの開ページ保持具。
（５）前記前面押さえ部材、背面支持部材の両方又はいずれか一方に、広告等の情報告知部が形成されてなることを特徴とする前記（１）〜（４）のいずれか１項に記載の手帳や書籍などの開ページ保持具。
【考案の効果】
【０００６】
本考案によれば、以下の優れた効果が発揮できる。
１．開かれた左右のページ２面に当接させるベルト状の前面押さえ部材と、左右の開かれた表表紙と裏表紙面に当接させるベルト状の背面支持部材とからなり、かつ両部材は左右端部が接合されてなる手帳や書籍などの所定のページを開いた状態で保持するベルト状の開ページ保持具なので、単に前面押さえ部材と、背面支持部材の間に手帳や書籍を通すだけで、所定のページを開いた状態で保持することができ、簡易な構造で使いやすく、かつ軽量で、大きな場所をとることがなく携帯性に優れている。
さらに、手帳や書籍の縦方向にも横方向にも装着ができるので、手帳や書籍の形態に拘わらず使用することができ、開ページの保持だけでなく、栞としても使用できる。
また、ベルト状の前面押さえ部材と背面支持部材との間に手帳や書籍を挿入するだけで開ページを保持できる構成となっているので、装着位置が限定されることがなく、任意の位置に装着して使用することができる。
２．前記前面押さえ部材及び背面支持部材が、柔軟性を有する合成樹脂素材で形成されているので、前面押さえ部材と背面支持部材の間に、本や書籍を挿入しやすく、また挿入した本や書籍の開いた状態に追従して装着状態を保持でき、手帳や書籍を安定して開いた状態にしておくことが可能となる。
３．前記前面押さえ部材、又は前面押さえ部材及び背面支持部材が、透明又は半透明の素材で形成されているので、前面押さえ部材で押さえられている部分の紙面も確認することができ、手帳の確認作業や書籍の読書等を妨げることがない。
４．前記前面押さえ部材、背面支持部材の両方又はいずれか一方に、定規のスケール、フレネルレンズ、温度計のうち、少なくとも１つが形成されてなるので、例えば手帳への書き込みや確認に利用することができ、また合成樹脂素材で形成されているので、その長辺を利用して直線を書き込みこともできる。さらに、フレネルレンズを形成した場合には、細かな文字等を読む場合に外して利用することができる。また、温度計など生活に役立つアイテムを形成することで、多機能な開ページ保持具を提供することができる。
５．前記前面押さえ部材、背面支持部材の両方又はいずれか一方に、広告等の情報告知部が形成されているので、背面支持部材に企業の広告や、キャラクター画像などを掲載することができ、手帳を使用するたび、あるいは書籍を読むたびに利用者は目にすることになり、高い宣伝効果が期待できる。
【図面の簡単な説明】
【０００７】
【図１】本考案の開ページ保持具の斜視図
【図２】本考案の開ページ保持具の使用の状態を示す説明図
【図３】本考案の開ページ保持具のその他の実施例を示す斜視図
【考案を実施するための形態】
【０００８】
本考案の実施の形態を図に基づいて、以下に説明する。
図１は本考案の開ページ保持具の斜視図であり、（ａ）は前面押さえ部材と背面支持部材の左右端部を接合した開ページ保持具、（ｂ）は前面押さえ部材と背面支持部材の左右いずれか一方の端部を接合した開ページ保持具、（ｃ）は前面押さえ部材と背面支持部材を一体で形成した開ページ保持具である。また、図２は本考案の開ページ保持具の使用の状態を示す説明図であり、（ａ）は手帳の横方向に装着した状態を示した図であり、（ｂ）は手帳の縦方向に装着した状態を示した図である。さらに図３は本考案の開ページ保持具のその他の実施例を示す斜視図であり、（ａ）は定規のスケールが形成されている本考案の開ページ保持具の実施例を示した説明図であり、（ｂ）はフレネルレンズを形成した本考案の開ページ保持具の実施例を示した説明図、また（ｃ）は広告等の情報告知部が形成された本考案の開ページ保持具の実施例を示した説明図である。
図中、１、１’、１”、１（ａ）、１（ｂ）、１（ｃ）は開ページ保持具、２は前面押さえ部材、３は背面支持部材、４は接合部、５は折曲部、６は定規のスケール部、７はフレネルレンズ部、８は情報告知部、９は手帳である。
【０００９】
本考案に係る開ページ保持具は、図１に示すように、開かれた左右のページ２面に当接させるベルト状の前面押さえ部材２と、左右の開かれた表表紙と裏表紙面に当接させるベルト状の背面支持部材３とからなり、かつ両部材は左右端部が接合されて構成される。
左右端部の接合は、図１（ａ）のように前面押さえ部材２と背面支持部材３の両部材を別に形成して両部材の左右端部を接合部４、４で接合する。
なお、図１（ｂ）のように前面押さえ部材２’と背面支持部材３’を、一本のベルト状部材で形成し、一端を接合する構成や、図１（ｃ）のように前面押さえ部材２”と背面支持部材３”を環状部材で形成してもよく、接合部４を設けない場合には、折曲部５に折り目をしっかりと形成する。
【００１０】
本考案に係る開ページ保持具１の前面押さえ部材２及び背面支持部材は、ベルト状に形成された部材であり、その長さは使用する手帳や書籍に合わせて形成される。特に安定して開ページを保持するためには、開かれた状態の幅に厚みを加えた程度が好適である。
栞としても使用する場合には、開かれた状態の幅に厚みを加えた長さと、縦方向の長さを比較して、長い方に合わせて形成される。
【００１１】
また、本願考案に係る開ページ保持具１の前記前面押さえ部材２及び背面支持部材３は、柔軟性を有する合成樹脂素材で形成される。柔軟性を有する合成樹脂素材で形成することにより、前面押さえ部材２と背面支持部材３の間に、本や書籍を挿入しやすく、また挿入した本や書籍の開いた状態に追従して装着状態を保持できるので、手帳や書籍を安定して開いた状態にしておくことができる。開ページ保持具は、使用する手帳や書籍の大きさに合わせて形成されることから、ゴムのような伸縮性を有するものでは好ましくなく、装着が容易な程度の柔軟性を有する素材が好ましい。
また、後述するように、定規のスケールを形成し、手帳の書き込みを補助することもできるものであることから、定規として利用できる程度の剛性を有する素材で形成される。
【００１２】
さらに、前記前面押さえ部材２、又は前面押さえ部材２及び背面支持部材３は、透明又は半透明の素材で形成されることが好ましい。透明又は半透明の素材で形成することにより、前面押さえ部材で押さえられている部分の紙面が透過して見え記載の内容を確認することができ、書籍の読書等を妨げることがない。また定規として使用する際にも紙面が確認できる構成とできる。
【００１３】
本考案の開ページ保持具１は、図２の本考案の開ページ保持具の使用の状態を示す説明図に示すように、ベルト状の前面押さえ部材２が手帳等の開かれた左右のページ２面に当接するように配置され、ベルト状の背面支持部材３が左右の開かれた表表紙と裏表紙面に当接されるように装着される。図２（ａ）は手帳の横方向に装着した状態を示した図であり、ベルト状の前面押さえ部材２が手帳９の開かれた左右の２面に当接するように装着されている。また、図２（ｂ）は手帳の縦方向に装着した状態を示した図であり、前面押さえ部材２は、開かれた左右の２面のいずれか一方の面に当接するように配置される。
このように、本考案の開ページ保持具１は、ベルト状の前面押さえ部材２と背面支持部材３との間に手帳９や書籍を挿入するだけで開ページを保持できる構成となっていて、任意の位置に装着することが可能であり、開ページ保持具１の装着位置が限定されることなく、手帳９や書籍の上方、中央又は下方等状況に合わせて使いやすい位置に装着して使用することができる構成となっている。
【００１４】
また、本考案の開ページ保持具１の他の実施例を図３に示す。
図３（ａ）に示す開ページ保持具１ａは、定規のスケール部６が形成されており、図３（ｂ）に示す開ページ保持具１ｂはフレネルレンズ部７が形成されている。また、図３（ｃ）に示す開ページ保持具１ｃは、広告等の情報告知部８が形成されている。
本実施例では、前面押さえ部材２に形成しているが、背面支持部材にまたは両方に、定規のスケール部６、フレネルレンズ部７、示温材料が塗布された温度計、鏡部、摩擦などの刺激で芳香を発する芳香印刷部、情報告知部８などを形成することができる。
これらは、手帳への書き込みや書籍の読書の際に利用することができるものであり、定規としてあるいは、合成樹脂素材で形成されているので、その長辺を利用して直線を書き込むことも可能である。さらに、フレネルレンズ部７を形成した場合には、細かな文字等を読む場合に、取り外して利用することができる。また、その他温度計など生活に役立つアイテムを形成することで、多機能な開ページ保持具１を提供することができる。
さらに、前記前面押さえ部材２、背面支持部材３の両方又はいずれか一方に、広告等の情報告知部８を形成することができ、例えば、背面支持部材に企業の広告や、キャラクター画像などを掲載することで、利用者が手帳を使用するたび、あるいは書籍を読むたびに必然的に当該情報を目にすることになり、高い宣伝効果を発揮できる。
【符号の説明】
【００１５】
１、１’、１”、１（ａ）、１（ｂ）、１（ｃ）  開ページ保持具
２    前面押さえ部材
３    背面支持部材
４    接合部
５    折曲部
６    定規のスケール部
７    フレネルレンズ部
８    情報告知部
９    手帳
【図１】
0003195738.tif 000003
【図２】
0003195738.tif 000004
【図３】
0003195738.tif 000005